【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
配電盤から分岐する各電源配線に流れる電流の値に基づいて、分岐した各電源配線の電力供給先である測定対象の消費電力量を測定する電力計測機と；
宅内に設けられ、前記電力計測機と通信接続可能であり、前記測定対象を示す第一の電力計測機情報と前記電力計測機により測定された消費電力量とを用いて、前記測定対象における消費電力量を示す第一の表示データを生成する第一データ生成部を備えるゲートウェイと；
前記ゲートウェイと通信接続が可能であり、前記測定対象を示す第二の電力計測機情報を記憶可能なサーバ記憶部、及び、当該記憶された第二の電力計測機情報と前記電力計測機により測定された消費電力量とを用いて、前記測定対象における消費電力量を示す第二の表示データを生成する第二データ生成部を備えるサーバ；を具備し、
第一の電力計測機情報及び第二の電力計測機情報のいずれか一方の内容が設定もしくは更新されると、他方の内容を当該設定もしくは更新された内容と同期させる電力計測システム。
【請求項２】
前記電力計測機、または、前記ゲートウェイは、前記第一の電力計測機情報を記憶する宅内記憶部を具備する請求項１に記載の電力計測システム。 
【請求項３】
前記ゲートウェイは、インターネットを介して前記サーバに接続可能な状態か否かを判定し、前記サーバに接続可能な状態であると判定した場合に当該接続を行い、前記他方の内容を当該設定もしくは更新された内容と同期させる請求項１または２に記載の電力計測システム。 
【請求項４】
第一の電力計測機情報は複数パターンが存在し、前記ゲートウェイは、当該複数パターンの第一の電力計測機情報の中から選択された第一の電力計測機情報を前記サーバに送信し、前記サーバ記憶部は前記ゲートウェイから受信した第一の電力計測機情報を第二の電力計測機情報として記憶する請求項１から３のいずれか１項に記載の電力計測システム。
【請求項５】
配電盤から分岐する各電源配線に流れる電流の値に基づいて、分岐した各電源配線の電力供給先である測定対象の消費電力量を測定する測定ステップと；
宅内の装置に記憶された前記測定対象を示す第一の電力計測機情報、及び、宅外の
装置に記憶された第二の電力計測機情報のいずれか一方の内容が設定もしくは更新された
後に、他方の内容を当該設定もしくは更新された内容と同期させるステップ；
を備える電力計測機情報同期方法。
【請求項６】
配電盤から分岐する各電源配線に流れる電流の値に基づいて、分岐した各電源配線の電力供給先である測定対象の消費電力量を測定する測定ステップと；
宅内の装置に記憶された前記測定対象を示す第一の電力計測機情報、及び、宅外の装置に記憶された第二の電力計測機情報のいずれか一方の内容が設定もしくは更新された後に、他方の内容を当該設定もしくは更新された内容と同期させるステップと；
前記宅内において、第一の電力計測機情報と前記電力計測機により測定された消費電力量とを用いて、前記測定対象における消費電力量を示す第一の表示データを生成するステップと；
前記宅外において、第二の電力計測機情報と前記電力計測機により測定された消費電力量とを用いて、前記測定対象における消費電力量を示す第二の表示データを生成するステップと；  
を備える消費電力表示方法。
【手続補正２】
【補正対象書類名】明細書
【補正対象項目名】０００６
【補正方法】変更
【補正の内容】
【０００６】
実施形態に係る電力計測システムは、配電盤から分岐する各電源配線に流れる電流の値に基づいて、分岐した各電源配線の電力供給先である測定対象の消費電力量を測定する電力計測機を具備する。また、実施形態に係る電力計測システムは、宅内に設けられ、電力計測機と通信接続可能であり、測定対象を示す第一の電力計測機情報と電力計測機により測定された消費電力量とを用いて、測定対象における消費電力量を示す第一の表示データを生成する第一データ生成部を備えるゲートウェイを具備する。また、実施形態に係る電力計測システムは、ゲートウェイと通信接続が可能であり、測定対象を示す第二の電力計測機情報を記憶可能なサーバ記憶部、及び、記憶された第二の電力計測機情報と電力計測機により測定された消費電力量とを用いて、測定対象における消費電力量を示す第二の表示データを生成する第二データ生成部を備えるサーバを具備する。そして、実施形態に係る電力計測システムは、第一の電力計測機情報及び第二の電力計測機情報のいずれか一方の内容が設定もしくは更新されると、他方の内容を設定もしくは更新された内容と同期させる。
【手続補正３】
【補正対象書類名】明細書
【補正対象項目名】０００９
【補正方法】変更
【補正の内容】
【０００９】
以下で説明する実施形態に係る電力計測システムは、配電盤から分岐する各電源配線に流れる電流の値に基づいて、分岐した各電源配線の電力供給先である測定対象の消費電力量を測定する電力計測機を具備する。また、実施形態に係る電力計測システムは、宅内に設けられ、電力計測機と通信接続可能であり、測定対象を示す第一の電力計測機情報と電力計測機により測定された消費電力量とを用いて、測定対象における消費電力量を示す第一の表示データを生成する第一データ生成部を備えるゲートウェイを具備する。また、実施形態に係る電力計測システムは、ゲートウェイと通信接続が可能であり、測定対象を示す第二の電力計測機情報を記憶可能なサーバ記憶部、及び、記憶された第二の電力計測機情報と電力計測機により測定された消費電力量とを用いて、測定対象における消費電力量を示す第二の表示データを生成する第二データ生成部を備えるサーバを具備する。そして、実施形態に係る電力計測システムは、第一の電力計測機情報及び第二の電力計測機情報のいずれか一方の内容が設定もしくは更新されると、他方の内容を設定もしくは更新された内容と同期させる。 
【手続補正４】
【補正対象書類名】明細書
【補正対象項目名】００１３
【補正方法】変更
【補正の内容】
【００１３】
実施形態に係る電力測定機情報同期方法は、配電盤から分岐する各電源配線に流れる電流の値に基づいて、分岐した各電源配線の電力供給先である測定対象の消費電力量を測定する測定ステップを備える。また、実施形態に係る電力測定機情報同期方法は、宅内の装置に記憶された測定対象を示す第一の電力計測機情報、及び、宅外の装置に記憶された第二の電力計測機情報のいずれか一方の内容が設定もしくは更新された後に、他方の内容を設定もしくは更新された内容と同期させるステップを備える。 
【手続補正５】
【補正対象書類名】明細書
【補正対象項目名】００１４
【補正方法】変更
【補正の内容】
【００１４】
実施形態に係る消費電力表示方法は、配電盤から分岐する各電源配線に流れる電流の値に基づいて、分岐した各電源配線の電力供給先である測定対象の消費電力量を測定する測定ステップを備える。また、実施形態に係る消費電力表示方法は、宅内の装置に記憶された測定対象を示す第一の電力計測機情報、及び、宅外の装置に記憶された第二の電力計測機情報のいずれか一方の内容が設定もしくは更新された後に、他方の内容を設定もしくは更新された内容と同期させるステップを備える。また、実施形態に係る消費電力表示方法は、宅内において、第一の電力計測機情報と電力計測機により測定された消費電力量とを用いて、測定対象における消費電力量を示す第一の表示データを生成するステップを備える。また、実施形態に係る消費電力表示方法は、宅外において、第二の電力計測機情報と電力計測機により測定された消費電力量とを用いて、測定対象における消費電力量を示す第二の表示データを生成するステップを備える。